(57)【要約】【課題】画素に映像信号として電流信号を供給する表示装置において、低階調の再現性を高めること。【解決手段】本発明の表示装置は、マトリクス状に配列した複数の画素ＰＸを具備し、前記複数の画素ＰＸの各々は、表示素子ＯＬＥＤと、第１映像信号が供給され、前記第１映像信号の大きさに対応した大きさの第１駆動電流を前記表示素子ＯＬＥＤに出力する第１駆動電流制御回路ＤＤＣ１と、第２映像信号が供給され、前記第２映像信号の大きさに対応した大きさの第２駆動電流を前記表示素子ＯＬＥＤに出力する第２駆動電流制御回路ＤＤＣ２とを含み、前記第１駆動電流制御回路ＤＤＣ１が前記表示素子ＯＬＥＤに前記第１駆動電流を出力可能な時間Ｔ１と、前記第２駆動電流制御回路ＤＤＣ２が前記表示素子ＯＬＥＤに前記第２駆動電流を出力可能な時間Ｔ２との比Ｔ１／Ｔ２を１より大きく設定可能に構成されたことを特徴とする。【選択図】      図２
2006309155.tif 000002
【特許請求の範囲】
【請求項１】
マトリクス状に配列した複数の画素を具備し、前記複数の画素の各々は、
表示素子と、
第１映像信号が供給され、前記第１映像信号の大きさに対応した大きさの第１駆動電流を前記表示素子に出力する第１駆動電流制御回路と、
第２映像信号が供給され、前記第２映像信号の大きさに対応した大きさの第２駆動電流を前記表示素子に出力する第２駆動電流制御回路とを含み、
前記第１駆動電流制御回路が前記表示素子に前記第１駆動電流を出力可能な時間Ｔ１と、前記第２駆動電流制御回路が前記表示素子に前記第２駆動電流を出力可能な時間Ｔ２との比Ｔ１／Ｔ２を１より大きく設定可能に構成されたことを特徴とする表示装置。
【請求項２】
前記複数の画素の各々は、
前記第１駆動電流制御回路と前記表示素子との間に接続された第１出力制御スイッチと、
前記第２駆動電流制御回路と前記表示素子との間に接続された第２出力制御スイッチとをさらに含んだことを特徴とする請求項１に記載の表示装置。
【請求項３】
前記複数の画素が形成する複数の列に対応して配列すると共に各々に前記第１駆動電流制御回路が接続された複数の第１映像信号線と、前記複数の列に対応して配列すると共に各々に前記第２駆動電流制御回路が接続された複数の第２映像信号線とをさらに具備したことを特徴とする請求項２に記載の表示装置。
【請求項４】
前記第１駆動制御回路は、第１制御端子と第１電源端子に接続された第１端子とそれらの間の電圧に対応した大きさの電流を出力する第２端子とを含んだ第１駆動制御素子と、前記第１映像信号線と前記第２端子との間に接続された第１映像信号供給制御スイッチと、前記第２端子と前記第１制御端子との間に接続された第１ダイオード接続スイッチと、一方の電極が前記第１制御端子に接続された第１キャパシタとを含み、
前記第２駆動制御回路は、第２制御端子と前記第１電源端子に接続された第３端子とそれらの間の電圧に対応した大きさの電流を出力する第４端子とを含んだ第２駆動制御素子と、前記第２映像信号線と前記第４端子との間に接続された第２映像信号供給制御スイッチと、前記第４端子と前記第２制御端子との間に接続された第２ダイオード接続スイッチと、一方の電極が前記第２制御端子に接続された第２キャパシタとを含み、
前記第１出力制御スイッチと前記表示素子とは前記第２端子と第２電源端子との間でこの順に直列に接続され、
前記第２出力制御スイッチと前記表示素子とは前記第４端子と前記第２電源端子との間でこの順に直列に接続されたことを特徴とする請求項３に記載の表示装置。
【請求項５】
前記複数の画素が形成する複数の列に対応して配列すると共に各々が前記第１出力制御スイッチにそのスイッチング動作を制御する第１走査信号を供給する複数の第１走査信号線と、前記複数の列に対応して配列すると共に各々が前記第２出力制御スイッチにそのスイッチング動作を制御する第２走査信号を供給する複数の第２走査信号線と、前記複数の列に対応して配列すると共に各々が前記第１及び第２駆動電流制御回路が含む前記スイッチにそれらのスイッチング動作を制御する第３走査信号を供給する複数の第３走査信号線とをさらに具備したことを特徴とする請求項４に記載の表示装置。
【請求項６】
前記複数の第１及び第２映像信号線に接続された映像信号線ドライバをさらに具備し、前記映像信号線ドライバは電流源と電圧源とを含んだことを特徴とする請求項３に記載の表示装置。
【請求項７】
前記複数の画素が形成する複数の列に対応して配列すると共に各々に前記第１及び第２駆動電流制御回路が接続された複数の映像信号線をさらに具備したことを特徴とする請求項２に記載の表示装置。
【請求項８】
前記第１及び第２駆動制御回路の各々は、制御端子と第１電源端子に接続された第１端子とそれらの間の電圧に対応した大きさの電流を出力する第２端子とを含んだ駆動制御素子と、前記映像信号線と前記第２端子との間に接続された映像信号供給制御スイッチと、前記第２端子と前記制御端子との間に接続されたダイオード接続スイッチと、一方の電極が前記制御端子に接続されたキャパシタとを含み、
前記第１出力制御スイッチと前記表示素子とは前記第１駆動制御回路が含む前記駆動制御素子の前記第２端子と第２電源端子との間でこの順に直列に接続され、
前記第２出力制御スイッチと前記表示素子とは前記第２駆動制御回路が含む前記駆動制御素子の前記第２端子と前記第２電源端子との間でこの順に直列に接続されたことを特徴とする請求項７に記載の表示装置。
【請求項９】
前記複数の画素が形成する複数の列に対応して配列すると共に各々が前記第１出力制御スイッチにそのスイッチング動作を制御する第１走査信号を供給する複数の第１走査信号線と、前記複数の列に対応して配列すると共に各々が前記第２出力制御スイッチにそのスイッチング動作を制御する第２走査信号を供給する複数の第２走査信号線と、前記複数の列に対応して配列すると共に各々が前記第１駆動電流制御回路が含む前記スイッチにそれらのスイッチング動作を制御する第３走査信号を供給する複数の第３走査信号線と、前記複数の列に対応して配列すると共に各々が前記第２駆動電流制御回路が含むスイッチにそれらのスイッチング動作を制御する第４走査信号を供給する複数の第４走査信号線とをさらに具備したことを特徴とする請求項８に記載の表示装置。
【請求項１０】
前記複数の映像信号線に接続された映像信号線ドライバをさらに具備し、前記映像信号線ドライバは電流源と電圧源とを含んだことを特徴とする請求項７に記載の表示装置。
【請求項１１】
前記第１及び第２駆動制御回路の各々は、制御端子と第１電源端子に接続された第１端子とそれらの間の電圧に対応した大きさの電流を出力する第２端子とを含んだ駆動制御素子と、前記第２端子と前記制御端子との間に接続されたダイオード接続スイッチと、一方の電極が前記制御端子に接続されたキャパシタとを含み、前記第２駆動制御回路が含む前記キャパシタの他方の電極は走査信号入力端子に接続されたことを特徴とする請求項１に記載の表示装置。
【請求項１２】
前記複数の画素の各々は出力制御スイッチをさらに含み、前記出力制御スイッチと前記表示素子とは前記第２端子と第２電源端子との間でこの順に直列に接続されたことを特徴とする請求項１１に記載の表示装置。
【請求項１３】
前記複数の画素が形成する複数の列に対応して配列した複数の映像信号線をさらに具備し、前記複数の画素の各々は前記映像信号線と前記第２端子との間に接続された映像信号出力制御スイッチをさらに含んだことを特徴とする請求項１２に記載の表示装置。
【請求項１４】
前記複数の画素が形成する複数の列に対応して配列すると共に各々が前記出力制御スイッチにそのスイッチング動作を制御する第１走査信号を供給する複数の第１走査信号線と、前記複数の列に対応して配列すると共に各々が前記映像信号供給制御スイッチ及び前記第１駆動電流制御回路が含む前記ダイオード接続スイッチにそれらのスイッチング動作を制御する第２走査信号を供給する複数の第２走査信号線と、前記複数の列に対応して配列すると共に各々が前記第２駆動電流制御回路が含む前記ダイオード接続スイッチにそのスイッチング動作を制御する第３走査信号を供給する複数の第３走査信号線と、前記複数の列に対応して配列した複数の第４走査信号線とをさらに具備し、前記第２駆動電流制御回路が含む前記キャパシタは前記第４走査信号線と前記制御端子との間に接続されたことを特徴とする請求項１３に記載の表示装置。
【請求項１５】
前記複数の映像信号線に接続された映像信号線ドライバをさらに具備し、前記映像信号線ドライバは電流源と電圧源とを含んだことを特徴とする請求項１３に記載の表示装置。
【請求項１６】
第１階調域内の階調を表示する場合には、前記第１駆動電流制御回路に、前記第１映像信号として、前記第１駆動電流をゼロよりも大きな値とする映像信号を供給し、
前記第１階調域よりも低階調の第２階調域内の階調を表示する場合には、前記第１駆動電流制御回路に、前記第１映像信号として、前記第１駆動電流をゼロとする映像信号を供給する請求項１に記載の表示装置。
【請求項１７】
前記表示素子は有機ＥＬ素子である請求項１に記載の表示装置。
【請求項１８】
マトリクス状に配列した複数の画素回路を具備し、前記複数の画素回路の各々は、
第１映像信号が供給され、前記第１映像信号の大きさに対応した大きさの第１駆動電流を表示素子に出力する第１駆動電流制御回路と、
第２映像信号が供給され、前記第２映像信号の大きさに対応した大きさの第２駆動電流を前記表示素子に出力する第２駆動電流制御回路とを含み、
前記第１駆動電流制御回路が前記表示素子に前記第１駆動電流を出力可能な時間Ｔ１と、前記第２駆動電流制御回路が前記表示素子に前記第２駆動電流を出力可能な時間Ｔ２との比Ｔ１／Ｔ２を１より大きく設定可能に構成されたアレイ基板。
【請求項１９】
請求項１に係る表示装置を駆動する方法であって、前記比Ｔ１／Ｔ２を１より大きく設定することを含んだ方法。
【請求項２０】
第１階調域内の階調を表示する場合に、前記第１駆動電流制御回路に、前記第１映像信号として、前記第１駆動電流をゼロよりも大きな値とする映像信号を供給することと、
前記第１階調域よりも低階調の第２階調域内の階調を表示する場合に、前記第１駆動電流制御回路に、前記第１映像信号として、前記第１駆動電流をゼロとする映像信号を供給することとを含んだ請求項１９に記載の方法。
【発明の詳細な説明】
【技術分野】
【０００１】
本発明は、表示装置、アレイ基板、及び表示装置の駆動方法に関する。
【背景技術】
【０００２】
有機エレクトロルミネッセンス（ＥＬ）表示装置のように表示素子の光学特性をそれに流す駆動電流によって制御する表示装置では、駆動電流の大きさがばらつくと、輝度むら等の画質不良が生じる。それゆえ、そのような表示装置でアクティブマトリクス駆動方式を採用した場合には、駆動電流の大きさを制御する駆動制御素子の特性が各画素間でほぼ同一であることが要求される。しかしながら、この表示装置では、通常、駆動制御素子をガラス基板などの絶縁体上に形成するため、その特性にばらつきを生じ易い。
【０００３】
特許文献１には、画素回路がカレントミラー回路を含んだ有機ＥＬ表示装置が記載されている。
【０００４】
この画素回路は、駆動制御素子であるｎチャネル電界効果トランジスタと、有機ＥＬ素子と、キャパシタとを含んでいる。ｎチャネル電界効果トランジスタのソースは低電位の電源線に接続されており、キャパシタはｎチャネル電界効果トランジスタのゲートと先の電源線との間に接続されている。また、有機ＥＬ素子の陽極は、より高電位の電源線に接続されている。
【０００５】
この画素回路は、以下の方法で駆動する。  
まず、ｎチャネル電界効果トランジスタのドレインとゲートとを接続し、この状態でｎチャネル電界効果トランジスタのドレイン−ソース間に映像信号に対応した大きさの電流Ｉsigを流す。この動作により、キャパシタの両電極間の電圧は、ｎチャネル電界効果トランジスタのチャネルに電流Ｉsigを流すのに必要なゲート−ソース間電圧に設定される。
【０００６】
次に、ｎチャネル電界効果トランジスタのドレインとゲートとの接続を断ち、キャパシタの両電極間の電圧を保持する。続いて、ｎチャネル電界効果トランジスタのドレインを有機ＥＬ素子の陰極に接続する。これにより、有機ＥＬ素子には、先の電流Ｉsigとほぼ等しい大きさの駆動電流が流れる。有機ＥＬ素子は、この駆動電流の大きさに対応した輝度で発光する。
【０００７】
このように、上記の構成を画素回路に採用すると、書込期間において映像信号として供給した電流Ｉsigとほぼ等しい大きさの駆動電流を、書込期間に続く保持期間においてもｎチャネル電界効果トランジスタのドレインとソースとの間に流すことができる。それゆえ、ｎチャネル電界効果トランジスタの閾値Ｖthだけでなく移動度や寸法などが駆動電流の大きさに与える影響も排除することができる。
【０００８】
しかしながら、上記の表示装置には、駆動電流を十分に小さくすることが難しいという問題がある。駆動電流を十分に小さくできないと、例えば有機ＥＬ表示装置では、低階調域内の各階調が本来の明るさよりも明るく表示されるという問題を生じる。
【特許文献１】米国特許第６３７３４５４号明細書
【発明の開示】
【発明が解決しようとする課題】
【０００９】
本発明の目的は、画素に映像信号として電流信号を供給する表示装置において、低階調の再現性を高めることにある。
【課題を解決するための手段】
【００１０】
本発明の第１側面によると、マトリクス状に配列した複数の画素を具備し、前記複数の画素の各々は、表示素子と、第１映像信号が供給され、前記第１映像信号の大きさに対応した大きさの第１駆動電流を前記表示素子に出力する第１駆動電流制御回路と、第２映像信号が供給され、前記第２映像信号の大きさに対応した大きさの第２駆動電流を前記表示素子に出力する第２駆動電流制御回路とを含み、前記第１駆動電流制御回路が前記表示素子に前記第１駆動電流を出力可能な時間Ｔ１と、前記第２駆動電流制御回路が前記表示素子に前記第２駆動電流を出力可能な時間Ｔ２との比Ｔ１／Ｔ２を１より大きく設定可能に構成されたことを特徴とする表示装置が提供される。
【００１１】
本発明の第２側面によると、マトリクス状に配列した複数の画素回路を具備し、前記複数の画素回路の各々は、第１映像信号が供給され、前記第１映像信号の大きさに対応した大きさの第１駆動電流を表示素子に出力する第１駆動電流制御回路と、第２映像信号が供給され、前記第２映像信号の大きさに対応した大きさの第２駆動電流を前記表示素子に出力する第２駆動電流制御回路とを含み、前記第１駆動電流制御回路が前記表示素子に前記第１駆動電流を出力可能な時間Ｔ１と、前記第２駆動電流制御回路が前記表示素子に前記第２駆動電流を出力可能な時間Ｔ２との比Ｔ１／Ｔ２を１より大きく設定可能に構成されたアレイ基板が提供される。
【００１２】
本発明の第３側面によると、第１側面に係る表示装置を駆動する方法であって、前記比Ｔ１／Ｔ２を１より大きく設定することを含んだ方法が提供される。
【発明の効果】
【００１３】
本発明によると、画素に映像信号として電流信号を供給する表示装置において、低階調の再現性を高めることが可能となる。
【発明を実施するための最良の形態】
【００１４】
以下、本発明の態様について、図面を参照しながら詳細に説明する。なお、各図において、同様又は類似する構成要素には同一の参照符号を付し、重複する説明は省略する。
【００１５】
図１は、本発明の第１態様に係る表示装置を概略的に示す平面図である。図２は、図１に示す表示装置の画素を示す等価回路図である。
【００１６】
この表示装置は、アクティブマトリクス駆動方式の表示装置，例えばアクティブマトリクス駆動方式の有機ＥＬ表示装置，であり、複数の画素ＰＸを含んでいる。これら画素ＰＸは、絶縁基板ＳＵＢ上にマトリクス状に配置されている。
【００１７】
基板ＳＵＢ上には、走査信号線ドライバＹＤＲ及び映像信号線ドライバＸＤＲがさらに配置されている。
【００１８】
この基板ＳＵＢ上では、走査信号線ドライバＹＤＲに接続されると共に画素ＰＸの行方向に延びた走査信号線ＳＬ１乃至ＳＬ３が、画素ＰＸの列方向に配列している。これら走査信号線ＳＬ１乃至ＳＬ３には、それぞれ、走査信号線ドライバＹＤＲから第１乃至第３走査信号が電圧信号として供給される。
【００１９】
また、基板ＳＵＢ上では、映像信号線ドライバＸＤＲに接続されると共に画素ＰＸの列方向に延びた映像信号線ＤＬ１及びＤＬ２が、画素ＰＸの行方向に配列している。これら映像信号線ＤＬ１及びＤＬ２には、それぞれ、映像信号線ドライバＸＤＲから第１及び第２映像信号が電流信号として供給される。
【００２０】
さらに、この基板ＳＵＢ上には、第１電源線ＰＳＬ１及び第２電源線ＰＳＬ２が配置されている。
【００２１】
画素ＰＸは、表示素子ＯＬＥＤと、第１駆動電流制御回路ＤＣＣ１と、第２駆動電流制御回路ＤＣＣ２と、第１出力制御スイッチＳＷａ１と、第２出力制御スイッチＳＷａ２とを含んでいる。第１駆動電流制御回路ＤＣＣ１と、第２駆動電流制御回路ＤＣＣ２と、第１出力制御スイッチＳＷａ１と、第２出力制御スイッチＳＷａ２とは、画素回路を構成している。
【００２２】
第１駆動電流制御回路ＤＣＣ１と第１出力制御スイッチＳＷａ１と表示素子ＯＬＥＤとは、第１電源線ＰＳＬ１と第２電源線ＰＳＬ２との間で、この順に直列に接続されている。また、第２駆動電流制御回路ＤＣＣ２と第２出力制御スイッチＳＷａ２と表示素子ＯＬＥＤとは、第１電源線ＰＳＬ１と第２電源線ＰＳＬ２との間で、この順に直列に接続されている。
【００２３】
第１電源線ＰＳＬ１上のノードＮＤPS１と第２電源線ＰＳＬ２上のノードＮＤPS２とは、それぞれ、定電位端子である第１及び第２電源端子に相当している。ここでは、一例として、第１電源端子ＮＤPS１を高電位電源端子とし、第２電源端子ＮＤPS２を低電位電源端子としている。
【００２４】
ノードＮＤDCout１及びＮＤDCout２は、それぞれ、第１駆動電流制御回路ＤＣＣ１の第１駆動電流出力端子及び第２駆動電流制御回路ＤＣＣ２の第２駆動電流出力端子に相当している。ノードＮＤVSin１及びＮＤVSin２は、それぞれ、第１駆動電流制御回路ＤＣＣ１の第１映像信号入力端子及び第２駆動電流制御回路ＤＣＣ２の第２映像信号入力端子に相当している。
【００２５】
ノードＮＤRP１及びＮＤRP２は、それぞれ、第１及び第２参照電位端子に相当している。参照電位端子ＮＤRP１及びＮＤRP２は、例えば、定電位端子である。この場合、参照電位端子ＮＤRP１及びＮＤRP２は、第１電源線ＰＳＬ１上のノードであってもよく、或いは、第１電源線ＰＳＬ１から絶縁されていてもよい。
【００２６】
表示素子ＯＬＥＤは、互いに向き合った陽極及び陰極とそれらの間に流れる電流に応じて光学特性が変化する活性層とを含んでいる。ここでは、一例として、表示素子ＯＬＥＤに、活性層として発光層を含んだ有機ＥＬ素子を使用している。また、ここでは、一例として、表示素子ＯＬＥＤの陰極は第２電源線ＰＳＬ２に接続している。表示素子ＯＬＥＤとしては、無機ＥＬ素子や発光ダイオードなどの発光素子を使用してもよい。
【００２７】
第１出力制御スイッチＳＷａ１は、第１駆動電流出力端子ＮＤDCout１と表示素子ＯＬＥＤとの間に接続されている。第１出力制御スイッチＳＷａ１のスイッチング動作は、走査信号線ドライバＹＤＲから第１走査信号線ＳＬ１を介して供給する第１走査信号によって制御する。ここでは、一例として、第１出力制御スイッチＳＷａ１にｐチャネル薄膜トランジスタを使用しており、そのソースは第１駆動電流出力端子ＮＤDCout１に接続し、ドレインは表示素子ＯＬＥＤの陽極に接続し、ゲートは第１走査信号線ＳＬ１に接続している。
【００２８】
第２出力制御スイッチＳＷａ２は、第２駆動電流出力端子ＮＤDCout２と表示素子ＯＬＥＤとの間に接続されている。第２出力制御スイッチＳＷａ２のスイッチング動作は、走査信号線ドライバＹＤＲから第２走査信号線ＳＬ２を介して供給する第２走査信号によって制御する。ここでは、一例として、第２出力制御スイッチＳＷａ２にｐチャネル薄膜トランジスタを使用しており、そのソースは第２駆動電流出力端子ＮＤDCout２に接続し、ドレインは表示素子ＯＬＥＤの陽極に接続し、ゲートは第２走査信号線ＳＬ２に接続している。
【００２９】
第１駆動電流制御回路ＤＣＣ１は、第１駆動制御素子ＤＲ１と、第１映像信号供給制御スイッチＳＷｂ１と、第１ダイオード接続スイッチＳＷｃ１と、第１キャパシタＣ１とを含んでいる。
【００３０】
第１駆動制御素子ＤＲ１は、電界効果トランジスタを含んでいる。ここでは、一例として、第１駆動制御素子ＤＲ１にｐチャネル薄膜トランジスタを使用しており、そのソースは第１電源端子ＮＤPS１に接続し、ドレインは第１駆動電流出力端子ＮＤDCout１に接続している。
【００３１】
第１映像信号供給制御スイッチＳＷｂ１は、第１映像信号入力端子ＮＤVSin１と第１駆動電流出力端子ＮＤDCout１との間に接続されている。第１映像信号供給制御スイッチＳＷｂ１のスイッチング動作は、走査信号線ドライバＹＤＲから第３走査信号線ＳＬ３を介して供給する第３走査信号によって制御する。ここでは、一例として、第１映像信号供給制御スイッチＳＷｂ１にｐチャネル薄膜トランジスタを使用しており、そのソースは第１駆動電流出力端子ＮＤDCout１に接続し、ドレインは第１映像信号入力端子ＮＤVSin１に接続し、ゲートは第３走査信号線ＳＬ３に接続している。
【００３２】
第１ダイオード接続スイッチＳＷｃ１は、第１駆動制御素子ＤＲ１のドレインとゲートとの間に接続されている。第１ダイオード接続スイッチＳＷｃ１のスイッチング動作は、走査信号線ドライバＹＤＲから第３走査信号線ＳＬ３を介して供給する第３走査信号によって制御するか、又は、走査信号線ドライバＹＤＲから第４走査信号線（図示せず）を介して供給する第４走査信号によって制御する。ここでは、一例として、第１ダイオード接続スイッチＳＷｃ１にｐチャネル電界効果トランジスタを使用しており、そのソースは第１駆動電流出力端子ＮＤDCout１に接続し、ドレインは第１駆動制御素子ＤＲ１のゲートに接続し、ゲートは第３走査信号線ＳＬ３に接続している。
【００３３】
第１映像信号供給制御スイッチＳＷｂ１は、第１映像信号入力端子ＮＤVSin１と第１駆動制御素子ＤＲ１のゲートとの間に接続してもよい。或いは、第１ダイオード接続スイッチＳＷｃ１は、第１駆動制御素子ＤＲ１のゲートと第１映像信号入力端子ＮＤVSin１との間に接続してもよい。
【００３４】
第１キャパシタＣ１は、第１駆動制御素子ＤＲ１のゲートと第１参照電位端子ＮＤRP１との間に接続されている。この例では、第１参照電位端子ＮＤRP１は、定電位端子である。
【００３５】
第２駆動電流制御回路ＤＣＣ２は、第２駆動制御素子ＤＲ２と、第２映像信号供給制御スイッチＳＷｂ２と、第２ダイオード接続スイッチＳＷｃ２と、第２キャパシタＣ２とを含んでいる。
【００３６】
第２駆動制御素子ＤＲ２は、電界効果トランジスタを含んでいる。ここでは、一例として、第２駆動制御素子ＤＲ２にｐチャネル薄膜トランジスタを使用しており、そのソースは第１電源端子ＮＤPS１に接続し、ドレインは第２駆動電流出力端子ＮＤDCout２に接続している。
【００３７】
第２映像信号供給制御スイッチＳＷｂ２は、第２映像信号入力端子ＮＤVSin２と第２駆動電流出力端子ＮＤDCout２との間に接続されている。第２映像信号供給制御スイッチＳＷｂ２のスイッチング動作は、走査信号線ドライバＹＤＲから第３走査信号線ＳＬ３を介して供給する第３走査信号によって制御する。ここでは、一例として、第２映像信号供給制御スイッチＳＷｂ２にｐチャネル薄膜トランジスタを使用しており、そのソースは第２駆動電流出力端子ＮＤDCout２に接続し、ドレインは第２映像信号入力端子ＮＤVSin２に接続し、ゲートは第３走査信号線ＳＬ３に接続している。
【００３８】
第２ダイオード接続スイッチＳＷｃ２は、第２駆動制御素子ＤＲ２のドレインとゲートとの間に接続されている。第２ダイオード接続スイッチＳＷｃ２のスイッチング動作は、走査信号線ドライバＹＤＲから第３走査信号線ＳＬ３を介して供給する第３走査信号によって制御するか、又は、走査信号線ドライバＹＤＲから第４走査信号線（図示せず）を介して供給する第４走査信号によって制御する。ここでは、一例として、第２ダイオード接続スイッチＳＷｃ２にｐチャネル電界効果トランジスタを使用しており、そのソースは第２駆動電流出力端子ＮＤDCout２に接続し、ドレインは第２駆動制御素子ＤＲ２のゲートに接続し、ゲートは第３走査信号線ＳＬ３に接続している。
【００３９】
第２映像信号供給制御スイッチＳＷｂ２は、第２映像信号入力端子ＮＤVSin２と第２駆動制御素子ＤＲ２のゲートとの間に接続してもよい。或いは、第２ダイオード接続スイッチＳＷｃ２は、第２駆動制御素子ＤＲ２のゲートと第２映像信号入力端子ＮＤVSin２との間に接続してもよい。
【００４０】
第２キャパシタＣ２は、第２駆動制御素子ＤＲ２のゲートと第２参照電位端子ＮＤRP２との間に接続されている。この例では、第２参照電位端子ＮＤRP２は、定電位端子である。
【００４１】
図３は、図１に示す表示装置の駆動方法の一例を概略的に示すタイミングチャートである。図３には、ｍ行目の画素ＰＸで高階調域内の階調を表示する共に、ｍ＋１行目及びｍ＋２行目の画素ＰＸで低階調域内の階調を表示する例を示している。
【００４２】
図３において、横軸は時間を示し、縦軸は電位を示している。また、「ＸＤＲ出力１」は映像信号線ドライバＸＤＲが各第１映像信号線ＤＬ１に出力する信号を示し、「ＸＤＲ出力２」は映像信号線ドライバＸＤＲが各第２映像信号線ＤＬ２に出力する信号を示している。「ＳＬ１電位」乃至「ＳＬ３電位」で示す波形は、走査信号線ＳＬ１乃至ＳＬ３の電位をそれぞれ示している。さらに、図３において、「Ｉ（ｍ＋ｋ）１」は「ｍ＋ｋ行目」の画素ＰＸを選択している「ｍ＋ｋ行目選択期間」にその画素ＰＸが接続された映像信号線ＤＬ１に流す電流又はその大きさを示し、「Ｉ（ｍ＋ｋ）２」は「ｍ＋ｋ行目」の画素ＰＸを選択している「ｍ＋ｋ行目選択期間」にその画素ＰＸが接続された映像信号線ＤＬ２に流す電流又はその大きさを示している。
【００４３】
ここでは、一例として、それぞれの輝度データを６ビットで表現し、６４階調を表示する場合を考える。そして、最低階調及び最高階調に対応した輝度データをそれぞれ“００００００”及び“１１１１１１”とし、輝度データ“００００００”乃至“ａｂｃｄｅｆ”に対応した階調域を低階調域とし、それ以外の輝度データに対応した階調域を高階調域とする。
【００４４】
例えば、ｍ行目の画素ＰＸで高階調域内の階調を表示する場合、ｍ行目の画素ＰＸを選択する期間，すなわち、ｍ行目選択期間，では、まず、走査信号線ドライバＹＤＲから、第１走査信号線ＳＬ１に、第１出力制御スイッチＳＷａ１を開く第１走査信号を出力する。また、これと共に、走査信号線ドライバＹＤＲから、第２走査信号線ＳＬ２に、第２出力制御スイッチＳＷａ２を開く第２走査信号を出力する。ｍ行目の画素ＰＸで高階調域内の階調を表示する場合、第１出力制御スイッチＳＷａ１を開いている書込期間内に、以下の第１書込動作を実施する。
【００４５】
すなわち、走査信号線ドライバＹＤＲから、第３走査信号線ＳＬ３に、映像信号供給制御スイッチＳＷｂ１及びＳＷｂ２並びにダイオード接続スイッチＳＷｃ１及びＳＷｃ２を閉じる第３走査信号を出力する。この状態で、映像信号線ドライバＸＤＲから、選択した画素ＰＸに、第１映像信号線ＤＬ１を介して第１映像信号を供給する。これと共に、映像信号線ドライバＸＤＲから、選択した画素ＰＸに、第２映像信号線ＤＬ２を介して第２映像信号を供給する。
【００４６】
例えば、映像信号線ドライバＸＤＲにより、第１電源端子ＮＤPS１から第１映像信号線ＤＬ１へと第１電流Ｉ（ｍ）１を流すと共に、映像信号線ドライバＸＤＲから第２映像信号線ＤＬ２に電圧信号ＶOFF２を出力する。この場合、第１電流Ｉ（ｍ）１の大きさは、例えば、１０進法で表現した輝度データのＬ倍（Ｌ＞０）に設定する。また、電圧信号ＶOFF２は、第１電源端子ＮＤPS１とほぼ等しい電位に設定するか又はそれよりも高電位に設定する。
【００４７】
この第１書込動作を行うと、第１駆動制御素子ＤＲ１のゲートと第１電源端子ＮＤPS１との間の電圧Ｖgs（ｍ）１は、第１電源端子ＮＤPS１から第１駆動電流出力端子ＮＤDCout１へと電流Ｉ（ｍ）１を流す負の値に設定される。他方、第２駆動制御素子ＤＲ２のゲートと第１電源端子ＮＤPS１との間の電圧Ｖgs（ｍ）２は、第２駆動制御素子ＤＲ２の閾値電圧よりも十分に高い値に設定される。
【００４８】
次に、走査信号線ドライバＹＤＲから、第３走査信号線ＳＬ３に、映像信号供給制御スイッチＳＷｂ１及びＳＷｂ２並びにダイオード接続スイッチＳＷｃ１及びＳＷｃ２を開く第３走査信号を出力する。映像信号供給制御スイッチＳＷｂ１及びＳＷｂ２並びにダイオード接続スイッチＳＷｃ１及びＳＷｃ２を開いている間、キャパシタＣ１及びＣ２は、第１駆動制御素子ＤＲ１のゲート−ソース間電圧Ｖgs（ｍ）１及び第２駆動制御素子ＤＲ２のゲート−ソース間電圧Ｖgs（ｍ）２をほぼ一定に維持する。
【００４９】
続いて、走査信号線ドライバＹＤＲから、第１走査信号線ＳＬ１に、第１出力制御スイッチＳＷａ１を閉じる第１走査信号を出力する。書込期間は、第１出力制御スイッチＳＷａ１を閉じることにより終了する。
【００５０】
書込期間に続く表示期間では、第２出力制御スイッチＳＷａ２が閉じている時間Ｔ２を、第１出力制御スイッチＳＷａ１が閉じている時間Ｔ１よりも短くする。ここでは、一例として、第２出力制御スイッチＳＷａ２は、第１出力制御スイッチＳＷａ１を閉じてから一定時間経過するまでは開いたままとし、第１出力制御スイッチＳＷａ１を再び開くまでの何れかの時点で閉じる。なお、時間Ｔ１と時間Ｔ２との比Ｔ１／Ｔ２は、Ｎ（Ｎ＞１）とする。
【００５１】
第１出力制御スイッチＳＷａ１を閉じ且つ第２出力制御スイッチＳＷａ２を開いている期間では、第１駆動電流制御回路ＤＣＣ１は、表示素子ＯＬＥＤに、電流Ｉ（ｍ）１にほぼ等しい大きさの第１駆動電流を出力する。他方、第２駆動電流制御回路ＤＣＣ２は、表示素子ＯＬＥＤに、第２駆動電流を出力しない。すなわち、表示素子ＯＬＥＤには、電流Ｉ（ｍ）１にほぼ等しい大きさの駆動電流が流れる。
【００５２】
第１出力制御スイッチＳＷａ１及び第２出力制御スイッチＳＷａ２の双方を閉じている期間では、第１駆動電流制御回路ＤＣＣ１は、表示素子ＯＬＥＤに、電流Ｉ（ｍ）１にほぼ等しい大きさの第１駆動電流を出力する。他方、第２駆動制御素子ＤＲ２のゲート−ソース間電圧Ｖgs（ｍ）２はその閾値電圧Ｖth２よりも十分に高い値に設定されているので、この期間において、第２駆動電流制御回路ＤＣＣ２が表示素子ＯＬＥＤに出力する第２駆動電流の大きさはゼロである。すなわち、第１出力制御スイッチＳＷａ１及び第２出力制御スイッチＳＷａ２の双方を閉じている期間でも、表示素子ＯＬＥＤには、電流Ｉ（ｍ）１にほぼ等しい大きさの駆動電流が流れる。
【００５３】
このように、表示素子ＯＬＥＤには、表示期間の全体に亘り、電流Ｉ（ｍ）１にほぼ等しい大きさの駆動電流Ｉdrv（ｍ）が流れる。したがって、表示素子ＯＬＥＤは、表示期間の全体に亘り、駆動電流Ｉdrv（ｍ）に対応した輝度で発光し続ける。
【００５４】
ｍ＋１行目の画素ＰＸの書込期間は、ｍ行目の画素ＰＸへの書込動作を終了した後であって、第２出力制御スイッチＳＷａ２を閉じる前に開始する。すなわち、ｍ＋１行目の画素ＰＸの書込期間は、走査信号線ドライバＹＤＲから、ｍ行目の第３走査信号線ＳＬ３に映像信号供給制御スイッチＳＷｂ１及びＳＷｂ２並びにダイオード接続スイッチＳＷｃ１及びＳＷｃ２を開く第３走査信号を出力した後であって、ｍ行目の第２走査信号線ＳＬ２に第２出力制御スイッチＳＷａ２を閉じる第２走査信号を出力する前に開始する。
【００５５】
ｍ＋１行目の画素ＰＸの書込期間では、まず、走査信号線ドライバＹＤＲから、第１走査信号線ＳＬ１に、第１出力制御スイッチＳＷａ１を開く第１走査信号を出力する。また、これと共に、走査信号線ドライバＹＤＲから、第２走査信号線ＳＬ２に、第２出力制御スイッチＳＷａ２を開く第２走査信号を出力する。ｍ＋１行目の画素ＰＸで輝度データ“０００００１”乃至“ａｂｃｄｅｆ”に対応した階調域内の階調を表示する場合、第１出力制御スイッチＳＷａ１を開いている書込期間内に、以下の第２書込動作を実施する。
【００５６】
すなわち、走査信号線ドライバＹＤＲから、第３走査信号線ＳＬ３に、映像信号供給制御スイッチＳＷｂ１及びＳＷｂ２並びにダイオード接続スイッチＳＷｃ１及びＳＷｃ２を閉じる第３走査信号を出力する。この状態で、映像信号線ドライバＸＤＲから、選択した画素ＰＸに、第１映像信号線ＤＬ１を介して第１映像信号を供給する。これと共に、映像信号線ドライバＸＤＲから、選択した画素ＰＸに、第２映像信号線ＤＬ２を介して第２映像信号を供給する。
【００５７】
具体的には、映像信号線ドライバＸＤＲから第１映像信号線ＤＬ１に電圧信号ＶOFF１を出力する。そして、映像信号線ドライバＸＤＲにより、第１電源端子ＮＤPS１から第２映像信号線ＤＬ２へと第２電流Ｉ（ｍ＋１）２を流す。この第２電流Ｉ（ｍ＋１）２の大きさは、例えば、１０進法で表現した輝度データのＬ×Ｍ倍（Ｍ＞１）に設定する。また、電圧信号ＶOFF１は、第１電源端子ＮＤPS１とほぼ等しい電位に設定するか又はそれよりも高電位に設定する。
【００５８】
この第２書込動作を行うと、第１駆動制御素子ＤＲ１のゲートと第１電源端子ＮＤPS１との間の電圧Ｖgs（ｍ＋１）１は、第１駆動制御素子ＤＲ１の閾値電圧Ｖth１よりも十分に高い値に設定される。他方、第２駆動制御素子ＤＲ２のゲートと第１電源端子ＮＤPS１との間の電圧Ｖgs（ｍ＋１）２は、第１電源端子ＮＤPS１から第２駆動電流出力端子ＮＤDCout２へと電流Ｉ（ｍ＋１）２を流す負の値に設定される。
【００５９】
次に、走査信号線ドライバＹＤＲから、第３走査信号線ＳＬ３に、映像信号供給制御スイッチＳＷｂ１及びＳＷｂ２並びにダイオード接続スイッチＳＷｃ１及びＳＷｃ２を開く第３走査信号を出力する。映像信号供給制御スイッチＳＷｂ１及びＳＷｂ２並びにダイオード接続スイッチＳＷｃ１及びＳＷｃ２を開いている間、キャパシタＣ１及びＣ２は、第１駆動制御素子ＤＲ１のゲート−ソース間電圧Ｖgs（ｍ＋１）１及び第２駆動制御素子ＤＲ２のゲート−ソース間電圧Ｖgs（ｍ＋１）２をほぼ一定に維持する。
【００６０】
続いて、走査信号線ドライバＹＤＲから、第１走査信号線ＳＬ１に、第１出力制御スイッチＳＷａ１を閉じる第１走査信号を出力する。書込期間は、第１出力制御スイッチＳＷａ１を閉じることにより終了する。
【００６１】
書込期間に続く表示期間では、上記の通り、第２出力制御スイッチＳＷａ２が閉じている時間Ｔ２を、第１出力制御スイッチＳＷａ１が閉じている時間Ｔ１よりも短くする。この例では、第１出力制御スイッチＳＷａ１は、第１出力制御スイッチＳＷａ１を閉じてから一定時間経過するまでは開いたままとし、第１出力制御スイッチＳＷａ１を再び開くまでの何れかの時点で閉じる。
【００６２】
第１駆動制御素子ＤＲ１のゲート−ソース間電圧Ｖgs（ｍ＋１）１は、その閾値電圧Ｖth１よりも十分に高い値に設定されている。したがって、第１出力制御スイッチＳＷａ１を閉じ且つ第２出力制御スイッチＳＷａ２を開いている期間において、第１駆動電流制御回路ＤＣＣ１が表示素子ＯＬＥＤに出力する第１駆動電流の大きさはゼロである。また、この期間では、第２駆動電流制御回路ＤＣＣ２は、表示素子ＯＬＥＤに、第２駆動電流を出力しない。すなわち、表示素子ＯＬＥＤには、駆動電流は流れない。
【００６３】
第１出力制御スイッチＳＷａ１及び第２出力制御スイッチＳＷａ２の双方を閉じている期間でも、第１駆動制御素子ＤＲ１のゲート−ソース間電圧Ｖgs（ｍ）１はその閾値電圧Ｖth１よりも十分に高い値に設定されている。したがって、この期間において、第１駆動電流制御回路ＤＣＣ１が表示素子ＯＬＥＤに出力する第１駆動電流の大きさはゼロである。他方、第２駆動電流制御回路ＤＣＣ２は、表示素子ＯＬＥＤに、電流Ｉ（ｍ＋１）２にほぼ等しい大きさの第２駆動電流を出力する。すなわち、表示素子ＯＬＥＤには、電流Ｉ（ｍ＋１）２にほぼ等しい大きさの駆動電流Ｉdrv（ｍ＋１）が流れる。
【００６４】
このように、表示期間のうち、第２出力制御スイッチＳＷａ２を閉じている期間でのみ、表示素子ＯＬＥＤには、電流Ｉ（ｍ＋１）２にほぼ等しい大きさの駆動電流Ｉdrv（ｍ＋１）が流れる。したがって、表示期間のうち、第２出力制御スイッチＳＷａ２を閉じている期間でのみ、表示素子ＯＬＥＤは、駆動電流Ｉdrv（ｍ＋１）に対応した輝度で発光する。
【００６５】
なお、ｍ＋２行目の画素ＰＸで輝度データ“００００００”に対応した階調を表示する場合、第１又は第２書込動作の代わりに、以下を除いて第２書込動作と同様の第３書込動作を実施してもよい。すなわち、映像信号供給制御スイッチＳＷｂ１及びＳＷｂ２並びにダイオード接続スイッチＳＷｃ１及びＳＷｃ２を閉じている期間において、映像信号線ドライバＸＤＲから第１映像信号線ＤＬ１に電圧信号ＶOFF１を出力する。そして、映像信号線ドライバＸＤＲにより、第１電源端子ＮＤPS１から第２映像信号線ＤＬ２へと第２電流Ｉ（ｍ＋１）２を流す代わりに、映像信号線ドライバＸＤＲから第２映像信号線ＤＬ２に電圧信号ＶOFF２を出力する。こうすると、表示期間において、表示素子ＯＬＥＤに駆動電流が流れるのを防止できる。
【００６６】
ところで、第２映像信号線ＤＬ２を設けず且つ各画素ＰＸが第２駆動電流制御回路ＤＣＣ２及び第２出力制御スイッチＳＷａ２を含んでいない場合、低階調域内の階調を表示するには、第１駆動電流制御回路ＤＣＣ１に小さな第１映像信号Ｉ（ｍ＋ｋ）１を供給しなければならない。第１映像信号Ｉ（ｍ＋ｋ）１が小さい場合、映像信号線ＤＬ１の寄生容量の影響が大きい。そのため、ｍ＋ｎ行目の画素ＰＸの書込期間内に、その画素ＰＸに含まれる第１駆動制御素子ＤＲ１のゲート−ソース間電圧Ｖgs（ｍ＋ｋ）１を、第１映像信号Ｉ（ｍ＋ｋ）１に対応した値に正確に設定することが難しくなる。
【００６７】
例えば、全階調域に亘り、第１映像信号Ｉ（ｍ＋ｋ）１の大きさを輝度データのＬ×Ｍ倍（Ｌ＞０、Ｍ＞１）とすれば、第１映像信号Ｉ（ｍ＋ｋ）１の大きさを輝度データのＬ倍とした場合と比較して、先の問題は生じ難くなる。しかしながら、この駆動方法で十分な効果を得るべく倍率Ｍを十分に大きな値に設定すると、高階調域内の階調を表示する場合に、映像信号線ドライバＸＤＲは第１映像信号線ＤＬ１に非常に大きな第１映像信号Ｉ（ｍ＋ｋ）１を出力しなければならない。すなわち、映像信号線ドライバＸＤＲの負荷が大きい。しかも、この駆動方法では、高階調域内の階調を表示する場合、表示素子ＯＬＥＤに非常に大きな駆動電流Ｉdrv（ｍ＋ｋ）を流すこととなる。有機ＥＬ素子などの表示素子ＯＬＥＤは、駆動電流Ｉdrv（ｍ＋ｋ）が大きいと劣化し易い。このため、全階調域に亘って各階調に対応した第１映像信号Ｉ（ｍ＋ｋ）１の大きさをＭ倍する駆動方法は、非現実的である。
【００６８】
これに対し、図３を参照しながら説明した駆動方法では、高階調域内の階調を表示する場合、第１駆動電流制御回路ＤＣＣ１には、輝度データのＬ倍の大きさとした第１映像信号Ｉ（ｍ＋ｋ）１を供給する。そして、第２駆動電流制御回路ＤＣＣ２には、電圧信号ＶOFF２を供給する。すなわち、高階調域内の階調を表示する場合、第２駆動電流制御回路ＤＣＣ２の出力をゼロとし、第１駆動電流制御回路ＤＣＣ１のみによって、駆動電流Ｉdrv（ｍ＋ｋ）の大きさを制御する。
【００６９】
高階調域内の階調を表示する場合、第１映像信号Ｉ（ｍ＋ｋ）１は十分に大きい。そのため、第１駆動制御素子ＤＲ１のゲート−ソース間電圧Ｖgs（ｍ＋ｋ）１を、第１映像信号Ｉ（ｍ＋ｋ）１に対応した値に、高い精度で設定することができる。また、第２駆動電流制御回路ＤＣＣ２には電圧信号ＶOFF２を供給するので、第２駆動電流制御回路ＤＣＣ２の出力を確実にゼロとすることができる。したがって、図３の駆動方法によると、高階調域内の階調を表示する場合、表示素子ＯＬＥＤに流す駆動電流Ｉdrv（ｍ＋ｋ）の大きさを、輝度データのＬ倍に正確に対応させることができる。すなわち、図３の駆動方法によると、高階調域内の階調を高い再現性で表示することができる。
【００７０】
また、図３の駆動方法では、低階調域内の階調を表示する場合、第１駆動電流制御回路ＤＣＣ１には、電圧信号ＶOFF１を供給する。すなわち、低階調域内の階調を表示する場合、第１駆動電流制御回路ＤＣＣ１の出力をゼロとし、第２駆動電流制御回路ＤＣＣ２のみによって、駆動電流Ｉdrv（ｍ＋ｋ）の大きさを制御する。そして、第２駆動電流制御回路ＤＣＣ２に供給する第２映像信号Ｉ（ｍ＋ｋ）２の大きさを、輝度データのＬ×Ｍ倍（Ｍ＞１）とし、第２出力制御スイッチＳＷａ２を閉じている時間Ｔ２を、第１出力制御スイッチＳＷａ１を閉じている時間Ｔ１の１／Ｎ倍（Ｎ＞１）とする。例えば、倍率Ｍを約５とし、倍率１／Ｎを約１／５とする。
【００７１】
倍率Ｍが十分に大きければ、第２駆動制御素子ＤＲ２のゲート−ソース間電圧Ｖgs（ｍ＋ｋ）２を、第２映像信号Ｉ（ｍ＋ｋ）２に対応した値に、高い精度で設定することができる。また、第１駆動電流制御回路ＤＣＣ１には電圧信号ＶOFF１を供給するので、第１駆動電流制御回路ＤＣＣ１の出力を確実にゼロとすることができる。したがって、図３の駆動方法によると、低階調域内の階調を表示する場合、表示素子ＯＬＥＤに流す駆動電流Ｉdrv（ｍ＋ｋ）の大きさを、輝度データのＬ×Ｍ倍に正確に制御することができる。
【００７２】
しかも、第１出力制御スイッチＳＷａ１を閉じている時間Ｔ１及び第２出力制御スイッチＳＷａ２を閉じている時間Ｔ２は正確に制御できるので、倍率１／Ｎも正確に制御することができる。したがって、図３の駆動方法によると、低階調域内の階調を高い再現性で表示することができる。  
このように、図３の駆動方法によると、全階調を高い再現性で表示することができる。
【００７３】
また、図３の駆動方法では、上記の通り、高階調域内の階調を表示する場合には、第１映像信号Ｉ（ｍ＋ｋ）１の大きさを輝度データのＬ倍（Ｌ＞０）とし、低階調域内の階調を表示する場合のみ、第２映像信号Ｉ（ｍ＋ｋ）２の大きさを輝度データのＬ×Ｍ倍（Ｍ＞１）とする。そのため、高階調域内の階調を表示する場合に、映像信号線ドライバＸＤＲの負荷が大きくなることがない。しかも、表示素子ＯＬＥＤに非常に大きな駆動電流Ｉdrv（ｍ＋ｋ）を流すことがないので、表示素子ＯＬＥＤの劣化を生じ難い。
【００７４】
さらに、図３の駆動方法では、第１駆動電流制御回路ＤＣＣ１への第１映像信号の書き込みと、第２駆動電流制御回路ＤＣＣ２への第２映像信号の書き込みとを同時に行う。そのため、第１映像信号の書き込みと第２映像信号の書き込みとを順次行う場合と比較して、より短い時間で各画素ＰＸへの映像信号の書き込みを完了することができる。
【００７５】
次に、本発明の第２態様について説明する。  
図４は、本発明の第２態様に係る表示装置を概略的に示す平面図である。図５は、図４に示す表示装置の画素を示す等価回路図である。
【００７６】
この表示装置は、アクティブマトリクス駆動方式の表示装置，例えばアクティブマトリクス駆動方式の有機ＥＬ表示装置，である。この表示装置は、以下の構成を採用したこと以外は、図１及び図２を参照しながら説明した表示装置と同様の構造を有している。
【００７７】
この表示装置では、基板ＳＵＢ上に、第１走査信号線ＳＬ１、第２走査信号線ＳＬ２、第３走査信号線ＳＬ３に加え、画素ＰＸの行方向に延びた第４走査信号線ＳＬ４がさらに配置されている。第４走査信号線ＳＬ４は、走査信号線ドライバＹＤＲに接続されると共に画素ＰＸの列方向に配列している。第４走査信号線ＳＬ４には、走査信号線ドライバＹＤＲから第４走査信号が電圧信号として供給される。
【００７８】
また、この表示装置では、絶縁基板ＳＵＢ上に第１映像信号線ＤＬ１と第２映像信号線ＤＬ２とは配置されていない。その代わりに、基板ＳＵＢ上には、画素ＰＸの列方向に延びた映像信号線ＤＬが配置されている。映像信号線ＤＬは、映像信号線ドライバＸＤＲに接続されており、画素ＰＸの行方向に配列している。映像信号線ＤＬには、映像信号線ドライバＸＤＲから第１及び第２映像信号が電流信号として供給される。
【００７９】
第１映像信号供給制御スイッチＳＷｂ１は、映像信号線ＤＬ上の映像信号入力端子ＮＤVSinと第１駆動電流出力端子ＮＤDCout１との間に接続されている。第１映像信号供給制御スイッチＳＷｂ１のスイッチング動作は、走査信号線ドライバＹＤＲから第３走査信号線ＳＬ３を介して供給する第３走査信号によって制御する。ここでは、一例として、第１映像信号供給制御スイッチＳＷｂ１にｐチャネル薄膜トランジスタを使用しており、そのソースは第１駆動電流出力端子ＮＤDCout１に接続し、ドレインは映像信号入力端子ＮＤVSinに接続し、ゲートは第３走査信号線ＳＬ３に接続している。
【００８０】
第２映像信号供給制御スイッチＳＷｂ２は、映像信号入力端子ＮＤVSinと第２駆動電流出力端子ＮＤDCout２との間に接続されている。第２映像信号供給制御スイッチＳＷｂ２のスイッチング動作は、走査信号線ドライバＹＤＲから第４走査信号線ＳＬ４を介して供給する第４走査信号によって制御する。ここでは、一例として、第２映像信号供給制御スイッチＳＷｂ２にｐチャネル薄膜トランジスタを使用しており、そのソースは第２駆動電流出力端子ＮＤDCout２に接続し、ドレインは映像信号入力端子ＮＤVSinに接続し、ゲートは第４走査信号線ＳＬ４に接続している。
【００８１】
図６は、図４に示す表示装置の駆動方法の一例を概略的に示すタイミングチャートである。図６には、ｍ行目の画素ＰＸで高階調域内の階調を表示する共に、ｍ＋１行目及びｍ＋２行目の画素ＰＸで低階調域内の階調を表示する例を示している。
【００８２】
図６において、横軸は時間を示し、縦軸は電位を示している。また、「ＸＤＲ出力」は映像信号線ドライバＸＤＲが各映像信号線ＤＬに出力する信号を示している。「ＳＬ１電位」乃至「ＳＬ４電位」で示す波形は走査信号線ＳＬ１乃至ＳＬ４の電位をそれぞれ示している。さらに、図６において、「Ｉ（ｍ＋ｋ）１」及び「Ｉ（ｍ＋ｋ）２」は「ｍ＋ｋ行目」の画素ＰＸを選択している「ｍ＋ｋ行目選択期間」にその画素ＰＸが接続された映像信号線ＤＬに順次流す電流又はその大きさを示している。
【００８３】
ここでは、一例として、それぞれの輝度データを６ビットで表現し、６４階調を表示する場合を考える。そして、最低階調及び最高階調に対応した輝度データをそれぞれ“００００００”及び“１１１１１１”とし、輝度データ“００００００”乃至“ａｂｃｄｅｆ”に対応した階調域を低階調域とし、それ以外の輝度データに対応した階調域を高階調域とする。
【００８４】
ｍ行目の画素ＰＸで高階調域内の階調を表示する場合、ｍ行目選択期間では、まず、走査信号線ドライバＹＤＲから、第１走査信号線ＳＬ１に、第１出力制御スイッチＳＷａ１を開く第１走査信号を出力する。また、これと共に、走査信号線ドライバＹＤＲから、第２走査信号線ＳＬ２に、第２出力制御スイッチＳＷａ２を開く第２走査信号を出力する。第１出力制御スイッチＳＷａ１を開いている書込期間内に、以下の第１及び第２書込動作を順次実施する。
【００８５】
第１書込動作では、まず、走査信号線ドライバＹＤＲから、第３走査信号線ＳＬ３に、第１映像信号供給制御スイッチＳＷｂ１及び第１ダイオード接続スイッチＳＷｃ１を閉じる第３走査信号を出力する。このとき、第２映像信号供給制御スイッチＳＷｂ２及び第２ダイオード接続スイッチＳＷｃ２は、開いたままにしておく。この状態で、映像信号線ドライバＸＤＲから、選択した画素ＰＸの第１駆動電流制御回路ＤＣＣ１に、映像信号線ＤＬを介して第１映像信号を供給する。すなわち、映像信号線ドライバＸＤＲにより、第１電源端子ＮＤPS１から第１映像信号出力端子ＮＤDCout１へと第１電流Ｉ（ｍ）１を流す。
【００８６】
第１電流Ｉ（ｍ）１の大きさは、第１態様で説明したのと同様に設定する。ここでは、一例として、第１電流Ｉ（ｍ）１の大きさは、１０進法で表現した輝度データのＬ倍（Ｌ＞０）に設定する。
【００８７】
次に、走査信号線ドライバＹＤＲから、第３走査信号線ＳＬ３に、第１映像信号供給制御スイッチＳＷｂ１及び第１ダイオード接続スイッチＳＷｃ１を開く第３走査信号を出力する。これにより、第１書込動作を終了する。
【００８８】
第１書込動作を終了した後、第２書込動作を開始する。  
第２書込動作では、まず、走査信号線ドライバＹＤＲから、第４走査信号線ＳＬ４に、第２映像信号供給制御スイッチＳＷｂ２及び第２ダイオード接続スイッチＳＷｃ２を閉じる第４走査信号を出力する。この状態で、映像信号線ドライバＸＤＲから、選択した画素ＰＸの第２駆動電流制御回路ＤＣＣ２に、映像信号線ＤＬを介して第２映像信号を供給する。すなわち、映像信号線ドライバＸＤＲから、映像信号線ＤＬに、電圧信号ＶOFF２を出力する。電圧信号ＶOFF２は、第１態様で説明したのと同様、第１電源端子ＮＤPS１とほぼ等しい電位に設定するか又はそれよりも高電位に設定する。
【００８９】
次に、走査信号線ドライバＹＤＲから、第４走査信号線ＳＬ４に、第２映像信号供給制御スイッチＳＷｂ２及び第２ダイオード接続スイッチＳＷｃ２を開く第４走査信号を出力する。これにより、第２書込動作を終了する。
【００９０】
その後、走査信号線ドライバＹＤＲから、第１走査信号線ＳＬ１に、第１出力制御スイッチＳＷａ１を閉じる第１走査信号を出力する。書込期間は、第１出力制御スイッチＳＷａ１を閉じることにより終了する。
【００９１】
書込期間に続く表示期間では、第１態様と同様、第２出力制御スイッチＳＷａ２が閉じている時間Ｔ２を、第１出力制御スイッチＳＷａ１が閉じている時間Ｔ１よりも短くする。ここでは、一例として、第２出力制御スイッチＳＷａ２は、第１出力制御スイッチＳＷａ１を閉じてから一定時間経過するまでは開いたままとし、第１出力制御スイッチＳＷａ１を再び開くまでの何れかの時点で閉じる。
【００９２】
表示素子ＯＬＥＤには、表示期間の全体に亘り、電流Ｉ（ｍ）１にほぼ等しい大きさの駆動電流Ｉdrv（ｍ）が流れる。したがって、表示素子ＯＬＥＤは、表示期間の全体に亘り、駆動電流Ｉdrv（ｍ）に対応した輝度で発光し続ける。
【００９３】
ｍ＋１行目の画素ＰＸの書込期間は、ｍ行目の画素ＰＸへの第２書込動作を終了した後であって、第２出力制御スイッチＳＷａ２を閉じる前に開始する。すなわち、ｍ＋１行目の画素ＰＸの書込期間は、走査信号線ドライバＹＤＲから、ｍ行目の第４走査信号線ＳＬ４に第２映像信号供給制御スイッチＳＷｂ２及び第２ダイオード接続スイッチＳＷｃ２を開く第４走査信号を出力した後であって、ｍ行目の第２走査信号線ＳＬ２に第２出力制御スイッチＳＷａ２を閉じる第２走査信号を出力する前に開始する。
【００９４】
ｍ＋１行目の画素ＰＸの書込期間では、まず、走査信号線ドライバＹＤＲから、第１走査信号線ＳＬ１に、第１出力制御スイッチＳＷａ１を開く第１走査信号を出力する。また、これと共に、走査信号線ドライバＹＤＲから、第２走査信号線ＳＬ２に、第２出力制御スイッチＳＷａ２を開く第２走査信号を出力する。ｍ＋１行目の画素ＰＸで輝度データ“０００００１”乃至“ａｂｃｄｅｆ”に対応した階調域内の階調を表示する場合、第１出力制御スイッチＳＷａ１を開いている書込期間内に、以下の第３及び第４書込動作を順次実施する。
【００９５】
第３書込動作では、まず、走査信号線ドライバＹＤＲから、第３走査信号線ＳＬ３に、第１映像信号供給制御スイッチＳＷｂ１及び第１ダイオード接続スイッチＳＷｃ１を閉じる第３走査信号を出力する。このとき、第２映像信号供給制御スイッチＳＷｂ２及び第２ダイオード接続スイッチＳＷｃ２は、開いたままにしておく。この状態で、映像信号線ドライバＸＤＲから、選択した画素ＰＸの第１駆動電流制御回路ＤＣＣ１に、映像信号線ＤＬを介して第１映像信号を供給する。すなわち、映像信号線ドライバＸＤＲから、映像信号線ＤＬに、電圧信号ＶOFF１を出力する。電圧信号ＶOFF１は、第１態様で説明したのと同様、第１電源端子ＮＤPS１とほぼ等しい電位に設定するか又はそれよりも高電位に設定する。
【００９６】
次に、走査信号線ドライバＹＤＲから、第３走査信号線ＳＬ３に、第１映像信号供給制御スイッチＳＷｂ１及び第１ダイオード接続スイッチＳＷｃ１を開く第３走査信号を出力する。これにより、第３書込動作を終了する。
【００９７】
第３書込動作を終了した後、第４書込動作を開始する。  
第４書込動作では、まず、走査信号線ドライバＹＤＲから、第４走査信号線ＳＬ４に、第２映像信号供給制御スイッチＳＷｂ２及び第２ダイオード接続スイッチＳＷｃ２を閉じる第４走査信号を出力する。この状態で、映像信号線ドライバＸＤＲから、選択した画素ＰＸの第２駆動電流制御回路ＤＣＣ２に、映像信号線ＤＬを介して第２映像信号を供給する。すなわち、映像信号線ドライバＸＤＲにより、第１電源端子ＮＤPS１から第２映像信号出力端子ＮＤDCout２へと第２電流Ｉ（ｍ＋１）２を流す。
【００９８】
第２電流Ｉ（ｍ＋１）２の大きさは、第１態様で説明したのと同様に設定する。ここでは、一例として、第２電流Ｉ（ｍ＋１）２の大きさは、１０進法で表現した輝度データのＬ×Ｍ倍（Ｌ＞０、Ｍ＞１）に設定する。
【００９９】
次に、走査信号線ドライバＹＤＲから、第４走査信号線ＳＬ４に、第２映像信号供給制御スイッチＳＷｂ２及び第２ダイオード接続スイッチＳＷｃ２を開く第４走査信号を出力する。これにより、第４書込動作を終了する。
【０１００】
第３及び第４書込動作を終了した後、走査信号線ドライバＹＤＲから、第１走査信号線ＳＬ１に、第１出力制御スイッチＳＷａ１を閉じる第１走査信号を出力する。書込期間は、第１出力制御スイッチＳＷａ１を閉じることにより終了する。
【０１０１】
書込期間に続く表示期間では、上記の通り、第２出力制御スイッチＳＷａ２が閉じている時間Ｔ２を、第１出力制御スイッチＳＷａ１が閉じている時間Ｔ１よりも短くする。この例では、第２出力制御スイッチＳＷａ２は、第１出力制御スイッチＳＷａ１を閉じてから一定時間経過するまでは開いたままとし、第１出力制御スイッチＳＷａ１を再び開くまでの何れかの時点で閉じる。
【０１０２】
表示素子ＯＬＥＤには、表示期間のうち、第２出力制御スイッチＳＷａ２を閉じている期間でのみ、電流Ｉ（ｍ＋１）２にほぼ等しい大きさの駆動電流Ｉdrv（ｍ＋１）が流れる。したがって、表示期間のうち、第２出力制御スイッチＳＷａ２を閉じている期間でのみ、表示素子ＯＬＥＤは、駆動電流Ｉdrv（ｍ＋１）に対応した輝度で発光する。
【０１０３】
なお、ｍ＋２行目の画素ＰＸで輝度データ“００００００”に対応した階調を表示する場合、書込期間において、第３及び第２書込動作を順次実施してもよい。すなわち、第１映像信号供給制御スイッチＳＷｂ１及び第１ダイオード接続スイッチＳＷｃ１を閉じている期間において、映像信号線ドライバＸＤＲから第１映像信号線ＤＬ１に電圧信号ＶOFF１を出力する。そして、第２映像信号供給制御スイッチＳＷｂ２及び第２ダイオード接続スイッチＳＷｃ２を閉じている期間において、映像信号線ドライバＸＤＲから第２映像信号線ＤＬ２に電圧信号ＶOFF２を出力する。こうすると、表示期間において、表示素子ＯＬＥＤに駆動電流が流れるのを防止できる。
【０１０４】
このように、図６の駆動方法は、第１駆動電流制御回路ＤＣＣ１への第１映像信号の書き込みと、第２駆動電流制御回路ＤＣＣ２への第２映像信号の書き込みとを順次行うこと以外は、図３の駆動方法と同様である。したがって、本態様でも、全階調を高い再現性で表示することができ、映像信号線ドライバＸＤＲの負荷が大きくなることがなく、表示素子ＯＬＥＤの劣化を生じ難い。
【０１０５】
図４の表示装置では、映像信号線ドライバＸＤＲに例えば以下の構造を採用することができる。
【０１０６】
図７は、図４の表示装置において映像信号線ドライバに採用可能な構造の一例を示す等価回路図である。この回路は、インバータ回路ＩＮＶａ乃至ＩＮＶｃと、スイッチＳＷｃｓ及びＳＷｖｓと、電流源ＣＳと、電圧源ＶＳとを含んでいる。この例では、スイッチＳＷｃｓ及びＳＷｖｓとして、ｐチャネル電界効果トランジスタを使用している。
【０１０７】
インバータ回路ＩＮＶａの入力端子は、端子ＮＤinに接続されている。端子ＮＤinには、例えば、１０進法で表現した輝度データに比例する電圧信号（低階調に対応した電圧信号は高階調に対応した電圧信号よりも高い）が供給される。インバータ回路ＩＮＶａの出力端子は、インバータ回路ＩＮＶａの入力端子に接続されている。これらインバータ回路ＩＮＶａ及びＩＮＶｂは、端子ＮＤinに入力されたアナログ信号を増幅してインバータ回路ＩＮＶｂの出力端子から出力する。
【０１０８】
スイッチＳＷｃｓと電流源ＣＳとは、映像信号線ＤＬと接地線との間で、この順に直列に接続されている。スイッチＳＷｃｓのゲートは、インバータＩＮＶｂの出力端子に接続されている。電流源ＣＳは、例えば、１０進法で表現した輝度データに比例する電流信号を出力する。
【０１０９】
スイッチＳＷｖｓと電圧源ＶＳとは、映像信号線ＤＬと接地線との間で、この順に直列に接続されている。電圧源ＶＳは、例えば、電圧信号ＶOFF１及び／又はＶOFF２を出力する。
【０１１０】
インバータＩＮＶｃの出力端子はスイッチＳＷｖｓのゲートに接続されており、インバータＩＮＶｃの入力端子はインバータＩＮＶｂの出力端子に接続されている。インバータＩＮＶｃは、スイッチＳＷｖｓのゲートに供給する電圧信号を、スイッチＳＷｃｓのゲートに供給する電圧信号に対して反転させる。
【０１１１】
この回路は、端子ＮＤinに入力した信号が低階調域内の階調に対応した電圧信号である場合、スイッチＳＷｖｓを開くと共に、スイッチＳＷｃｓを閉じる。すなわち、この場合、映像信号線ＤＬに電流信号を出力する。
【０１１２】
また、この回路は、端子ＮＤinに入力した信号が高階調域内の階調に対応した電圧信号である場合、スイッチＳＷｖｓを閉じると共に、スイッチＳＷｃｓを開く。すなわち、この場合、映像信号線ＤＬに電圧信号を出力する。
【０１１３】
なお、図７の回路は、図１の表示装置で使用してもよい。すなわち、図１に示す表示装置の映像信号線ドライバＸＤＲにおいて、映像信号線ＤＬ１及びＤＬ２毎に図７の回路を配置し、これら回路に、映像信号線ＤＬとして、映像信号線ＤＬ１又はＤＬ２を接続してもよい。
【０１１４】
第１及び第２態様では、最低階調を表示する場合に、映像信号線ドライバＸＤＲから、第１駆動電流制御回路ＤＣＣ１に第１映像信号として電圧信号ＶOFF１を供給し、第２駆動電流制御回路ＤＣＣ２に第２映像信号として電圧信号ＶOFF２を供給した。その代わりに、最低階調を表示する場合、映像信号線ドライバＸＤＲから、第１駆動電流制御回路ＤＣＣ１に第１映像信号として電流信号Ｉ（ｍ＋ｋ）１を供給し、第２駆動電流制御回路ＤＣＣ２に第２映像信号として電流信号Ｉ（ｍ＋ｋ）２を供給してもよい。
【０１１５】
また、第１及び第２態様では、高階調域内の階調を表示する場合に、映像信号線ドライバＸＤＲから、第２駆動電流制御回路ＤＣＣ２に、第２映像信号として電圧信号ＶOFF２を供給した。その代わりに、高階調域内の階調を表示する場合、映像信号線ドライバＸＤＲから、第２駆動電流制御回路ＤＣＣ２に、第２映像信号として電流信号Ｉ（ｍ＋ｋ）２を供給してもよい。すなわち、高階調域内の階調を表示する場合、第１駆動電流制御回路ＤＣＣ１から表示素子ＯＬＥＤに第１駆動電流を供給するのに加え、第２駆動電流制御回路ＤＣＣ２から表示素子ＯＬＥＤに第２駆動電流を供給してもよい。
【０１１６】
次に、本発明の第３態様について説明する。
【０１１７】
図８は、本発明の第３態様に係る表示装置を概略的に示す平面図である。図９は、図８に示す表示装置の画素を示す等価回路図である。
【０１１８】
この表示装置は、アクティブマトリクス駆動方式の表示装置，例えばアクティブマトリクス駆動方式の有機ＥＬ表示装置，である。この表示装置は、画素ＰＸに以下の構成を採用したこと以外は、図４及び図５を参照しながら説明した表示装置と同様の構造を有している。
【０１１９】
この表示装置では、画素ＰＸは、出力制御スイッチＳＷａ１及びＳＷａ２並びに映像信号供給制御スイッチＳＷｂ１及びＳＷｂ２を含んでいない。その代わりに、画素ＰＸは、出力制御スイッチＳＷａ及び映像信号供給制御スイッチＳＷｂを含んでいる。
【０１２０】
出力制御スイッチＳＷａと表示素子ＯＬＥＤとは、第１駆動電流出力端子ＮＤDCout１と第２電源端子ＮＤps１との間でこの順に直列に接続されている。さらに、出力制御スイッチＳＷａと表示素子ＯＬＥＤとは、第２駆動電流出力端子ＮＤDCout２と第２電源端子ＮＤps１との間でこの順に直列に接続されている。すなわち、第２駆動電流出力端子ＮＤDCout２は、第１駆動電流出力端子ＮＤDCout１に接続されている。出力制御スイッチＳＷａのスイッチング動作は、走査信号線ドライバＹＤＲから第１走査信号線ＳＬ１を介して供給する第１走査信号によって制御する。ここでは、一例として、出力制御スイッチＳＷａにｐチャネル薄膜トランジスタを使用しており、そのソースは第１駆動電流出力端子ＮＤDCout１に接続し、ドレインは表示素子ＯＬＥＤの陽極に接続し、ゲートは第１走査信号線ＳＬ１に接続している。
【０１２１】
映像信号供給制御スイッチＳＷｂは、映像信号入力端子ＮＤVSinと第１駆動電流出力端子ＮＤDCout１との間に接続されている。映像信号供給制御スイッチＳＷｂのスイッチング動作は、走査信号線ドライバＹＤＲから第２走査信号線ＳＬ２を介して供給する第２走査信号によって制御する。ここでは、一例として、映像信号供給制御スイッチＳＷｂにｐチャネル薄膜トランジスタを使用しており、そのソースは第１駆動電流出力端子ＮＤDCout１に接続し、ドレインは映像信号入力端子ＮＤVSinに接続し、ゲートは第２走査信号線ＳＬ２に接続している。
【０１２２】
第１ダイオード接続スイッチＳＷｃ１は、第１駆動制御素子ＤＲ１のドレインとゲートとの間に接続されている。第１ダイオード接続スイッチＳＷｃ１のスイッチング動作は、走査信号線ドライバＹＤＲから第２走査信号線ＳＬ２を介して供給する第２走査信号によって制御する。ここでは、一例として、第１ダイオード接続スイッチＳＷｃ１にｐチャネル電界効果トランジスタを使用しており、そのソースは第１駆動電流出力端子ＮＤDCout１に接続し、ドレインは第１駆動制御素子ＤＲ１のゲートに接続し、ゲートは第２走査信号線ＳＬ２に接続している。
【０１２３】
第２ダイオード接続スイッチＳＷｃ２は、第２駆動制御素子ＤＲ２のドレインとゲートとの間に接続されている。第２ダイオード接続スイッチＳＷｃ２のスイッチング動作は、走査信号線ドライバＹＤＲから第３走査信号線ＳＬ３を介して供給する第３走査信号によって制御する。ここでは、一例として、第２ダイオード接続スイッチＳＷｃ２にｐチャネル電界効果トランジスタを使用しており、そのソースは第２駆動電流出力端子ＮＤDCout２接続し、ドレインは第２駆動制御素子ＤＲ２のゲートに接続し、ゲートは第３走査信号線ＳＬ３に接続している。
【０１２４】
第１キャパシタＣ１は、第１駆動制御素子ＤＲ１のゲートと第１参照電位端子ＮＤRP１との間に接続されている。この例では、第１参照電位端子ＮＤRP１は、定電位端子である。
【０１２５】
第２キャパシタＣ２は、第２駆動制御素子ＤＲ２のゲートと第４走査信号線ＳＬ４との間に接続されている。第２キャパシタＣの第４走査信号線ＳＬ４に接続された電極には、走査信号線ドライバＹＤＲから第４走査信号線ＳＬ４を介して第４走査信号が供給される。
【０１２６】
図１０は、図８に示す表示装置の駆動方法の一例を概略的に示すタイミングチャートである。図１０には、ｍ行目の画素ＰＸで高階調域内の階調を表示する共に、ｍ＋１行目の画素ＰＸで低階調域内の階調を表示する例を示している。
【０１２７】
図１０において、横軸は時間を示し、縦軸は電位を示している。また、「ＸＤＲ出力」は映像信号線ドライバＸＤＲが各映像信号線ＤＬに出力する信号を示している。「ＳＬ１電位」乃至「ＳＬ４電位」で示す波形は走査信号線ＳＬ１乃至ＳＬ４の電位をそれぞれ示している。さらに、図６において、「Ｉ（ｍ＋ｋ）２」及び「Ｉ（ｍ＋ｋ）１＋２」は「ｍ＋ｋ行目」の画素ＰＸを選択している「ｍ＋ｋ行目選択期間」にその画素ＰＸが接続された映像信号線ＤＬに順次流す電流又はその大きさを示している。
【０１２８】
ここでは、一例として、それぞれの輝度データを８ビットで表現し、２５６階調を表示する場合を考える。そして、最低階調及び最高階調に対応した輝度データをそれぞれ“００００００００”及び“１１１１１１１１”とし、輝度データ“００００００００”乃至“００００１１１１”に対応した階調域を低階調域とし、それ以外の輝度データに対応した階調域を高階調域とする。
【０１２９】
ｍ行目の画素ＰＸで高階調域内の階調を表示する場合、ｍ行目選択期間では、まず、走査信号線ドライバＹＤＲから、第１走査信号線ＳＬ１に、出力制御スイッチＳＷａを開く第１走査信号を出力する。出力制御スイッチＳＷａを開いている書込期間内に、以下の第１及び第２書込動作を順次実施する。
【０１３０】
第１書込動作では、まず、走査信号線ドライバＹＤＲから、第２走査信号線ＳＬ２に、映像信号供給制御スイッチＳＷｂ及び第１ダイオード接続スイッチＳＷｃ１を閉じる第２走査信号を出力する。これと共に、走査信号線ドライバＹＤＲから、第３走査信号線ＳＬ３に、第２ダイオード接続スイッチＳＷｃ２を閉じる第３走査信号を出力する。このとき、第４映像信号線ＳＬ４には、走査信号線ドライバＹＤＲから、第４映像信号線ＳＬ４の電位を第１電位とする第４走査信号を出力する。この状態で、映像信号線ドライバＸＤＲから、選択した画素ＰＸの駆動電流制御回路ＤＣＣ１及びＤＤＣ２に、映像信号線ＤＬを介して第２映像信号を供給する。すなわち、第１電源端子ＮＤPS１から映像信号線ドライバＸＤＲへと電流Ｉ（ｍ）１２を流す。
【０１３１】
ここでは、簡略化のため、駆動制御素子ＤＲ１及びＤＲ２の特性が互いに等しい場合を考える。また、ここでは、一例として、表示すべき階調に対応した輝度データは、二進法で表現すると、“ａｂｃｄｅｆｇｈ”であるとする。この場合、電流Ｉ（ｍ）１２の大きさは、例えば、“００００ｅｆｇｈ”を１０進法で表現した値の２×Ｌ×Ｍ倍（Ｌ＞０、Ｍ＞１）に設定する。
【０１３２】
次に、走査信号線ドライバＹＤＲから、第３走査信号線ＳＬ３に、第２ダイオード接続スイッチＳＷｃ２を開く第３走査信号を出力する。これにより、第１書込動作を終了する。
【０１３３】
第１書込動作を終了した後、第２書込動作を開始する。  
第２書込動作では、まず、走査信号線ドライバＹＤＲから、第４走査信号線ＳＬ４に、第２駆動制御素子ＤＲ２のゲート−ソース間電圧をその閾値電圧よりも十分に高くする第４走査信号を出力する。第２書込動作において出力する第４走査信号は、第１書込動作において出力する第４走査信号と比較して十分に高い電位とする。具体的には、第２書込動作において設定する第４走査信号線ＳＬ４の第２電位と第１書込動作において設定した第４走査信号線ＳＬ４の第１電位と差は、二進データ“ｅｆｇｈ”が“１１１１”である場合でも第２駆動制御素子ＤＲ２のゲート−ソース間電圧がその閾値電圧よりも高くなるのに十分な大きさとする。
【０１３４】
次に、この状態で、映像信号線ドライバＸＤＲから、選択した画素ＰＸの第１駆動電流制御回路ＤＣＣ１に、映像信号線ＤＬ及び映像信号供給制御スイッチＳＷｂを介して第１映像信号を供給する。すなわち、第１電源端子ＮＤPS１から映像信号線ドライバＸＤＲへと電流Ｉ（ｍ）１を流す。電流Ｉ（ｍ）１の大きさは、例えば、“ａｂｃｄ００００”を１０進法で表現した値のＬ倍（Ｌ＞０）に設定する。
【０１３５】
次いで、走査信号線ドライバＹＤＲから、第２走査信号線ＳＬ２に、映像信号供給制御スイッチＳＷｂ及び第１ダイオード接続スイッチＳＷｃ１を開く第２走査信号を出力する。これにより、第２書込動作を終了する。
【０１３６】
その後、走査信号線ドライバＹＤＲから、第１走査信号線ＳＬ１に、出力制御スイッチＳＷａを閉じる第１走査信号を出力する。書込期間は、出力制御スイッチＳＷａを閉じることにより終了する。
【０１３７】
書込期間に続く表示期間の一部では第４走査信号線ＳＬ４の電位を第１電位とし、書込期間の残りでは第４走査信号線ＳＬ４の電位を第２電位とする。すなわち、第２駆動制御素子ＤＲ２が表示素子ＯＬＥＤに駆動電流Ｉdrv（ｍ）２を出力可能な時間Ｔ２を、第１駆動制御素子ＤＲ１が表示素子ＯＬＥＤに駆動電流Ｉdrv（ｍ）１を出力可能な時間Ｔ１よりも短くする。ここでは、一例として、第４走査信号線ＳＬ４の電位は、出力制御スイッチＳＷａを閉じてから一定時間経過するまでは第２電位のままとし、出力制御スイッチＳＷａを再び開くまでの何れかの時点で第１電位とする。また、時間Ｔ２と時間Ｔ１との比Ｔ２／Ｔ１は、例えば１／Ｎ（Ｎ＞１）とする。
【０１３８】
第１駆動制御素子ＤＲ１は、１垂直周期のうち時間Ｔ１だけ、表示素子ＯＬＥＤに、電流Ｉ（ｍ）１にほぼ等しい大きさの駆動電流Ｉdrv（ｍ）１を出力する。第２駆動電流制御素子ＤＲ２は、１垂直周期のうち時間Ｔ２だけ、表示素子ＯＬＥＤに、電流Ｉ（ｍ）１２の半分にほぼ等しい大きさの駆動電流Ｉdrv（ｍ）２を出力する。したがって、表示素子ＯＬＥＤは、表示期間のうち、時間Ｔ１−Ｔ２に亘って駆動電流Ｉdrv（ｍ）１に対応した輝度で発光し、時間Ｔ２に亘って駆動電流Ｉdrv（ｍ）１と駆動電流Ｉdrv（ｍ）２との和に対応した輝度で発光する。
【０１３９】
表示期間において表示素子ＯＬＥＤに流れる駆動電流の平均Ｉdrv（ｍ）は、Ｉdrv（ｍ）１＋１／Ｎ×Ｉdrv（ｍ）２である。駆動電流Ｉdrv（ｍ）１は映像信号Ｉ（ｍ）１と大きさがほぼ等しく、駆動電流Ｉdrv（ｍ）２は映像信号Ｉ（ｍ）１２の１／２と大きさがほぼ等しい。また、映像信号Ｉ（ｍ）１の大きさは輝度データ“ａｂｃｄ００００”を１０進法で表現した値のＬ倍であり、映像信号Ｉ（ｍ）１２の大きさは輝度データ“００００ｅｆｇｈ”の１０進法で表現した値の２×Ｌ×Ｍ倍である。したがって、ＭとＮとが等しい場合には、駆動電流の平均Ｉdrv（ｍ）は、輝度データ“ａｂｃｄｅｆｇｈ”を１０進法で表現した値のＬ倍と大きさがほぼ等しい。
【０１４０】
なお、輝度データ“ａｂｃｄｅｆｇｈ”が“ａｂｃｄ００００”である場合は、第１書込動作の代わりに第３書込動作を実施してもよい。すなわち、映像信号線ドライバＸＤＲは、第２映像信号として、電流信号Ｉ（ｍ）１２を出力する代わりに、第２駆動制御素子ＤＲ２のゲート−ソース間電圧をその閾値電圧よりも高くする電圧信号ＶOFF２を出力してもよい。
【０１４１】
ｍ＋１行目の画素ＰＸの書込期間は、ｍ行目の画素ＰＸへの第２書込動作を終了した後に開始する。
【０１４２】
ｍ＋１行目の画素ＰＸの書込期間では、まず、走査信号線ドライバＹＤＲから、第１走査信号線ＳＬ１に、出力制御スイッチＳＷａを開く第１走査信号を出力する。ｍ＋１行目の画素ＰＸで輝度データ“０００００００１”乃至“００００１１１１”に対応した階調域内の階調を表示する場合、第１出力制御スイッチＳＷａ１を開いている書込期間内に、上記の第１書込動作と以下の第４書込動作とを順次実施する。
【０１４３】
ここでは、一例として、ｍ＋１行目の画素ＰＸで表示すべき階調に対応した輝度データは、二進法で表現すると、“００００ｅｆｇｈ”であるとする。第１書込動作では、上述した方法により、ｍ＋１行目の画素ＰＸに、映像信号として電流信号Ｉ（ｍ＋１）１２を書き込む。電流Ｉ（ｍ＋１）１２の大きさは、例えば、“００００ｅｆｇｈ”を１０進法で表現した値の２×Ｌ×Ｍ倍（Ｌ＞０、Ｍ＞１）に設定する。
【０１４４】
第１書込動作を終了した後、第４書込動作を開始する。  
第４書込動作では、まず、走査信号線ドライバＹＤＲから、第４走査信号線ＳＬ４に、その電位を第２電位に設定する第４走査信号を出力する。
【０１４５】
次に、この状態で、映像信号線ドライバＸＤＲから、選択した画素ＰＸの第１駆動電流制御回路ＤＣＣ１に、映像信号線ＤＬ及び映像信号供給制御スイッチＳＷｂを介して第１映像信号を供給する。すなわち、映像信号線ドライバＸＤＲから、映像信号線ＤＬに、第１映像信号として電圧信号ＶOFF１を出力する。これにより、第１駆動制御素子ＤＲ１のゲート−ソース間電圧をその閾値電圧よりも高くする。
【０１４６】
次いで、走査信号線ドライバＹＤＲから、第２走査信号線ＳＬ２に、映像信号供給制御スイッチＳＷｂ及び第１ダイオード接続スイッチＳＷｃ１を開く第２走査信号を出力する。これにより、第４書込動作を終了する。
【０１４７】
その後、走査信号線ドライバＹＤＲから、第１走査信号線ＳＬ１に、出力制御スイッチＳＷａを閉じる第１走査信号を出力する。書込期間は、出力制御スイッチＳＷａを閉じることにより終了する。
【０１４８】
書込期間に続く表示期間の一部では第４走査信号線ＳＬ４の電位を第１電位とし、書込期間の残りでは第４走査信号線ＳＬ４の電位を第２電位とする。すなわち、第２駆動制御素子ＤＲ２が表示素子ＯＬＥＤに駆動電流Ｉdrv（ｍ＋１）２を出力可能な時間Ｔ２を、第１駆動制御素子ＤＲ１が表示素子ＯＬＥＤに駆動電流Ｉdrv（ｍ＋１）１を出力可能な時間Ｔ１よりも短くする。
【０１４９】
第１駆動制御素子ＤＲ１は、１垂直周期のうち時間Ｔ１だけ、表示素子ＯＬＥＤに駆動電流Ｉdrv（ｍ＋１）１を出力可能である。しかしながら、第１駆動制御素子ＤＲ１のゲート−ソース間電圧はその閾値電圧よりも高いので、電流Ｉdrv（ｍ＋１）１の大きさはゼロである。第２駆動電流制御素子ＤＲ２は、１垂直周期のうち時間Ｔ２だけ、表示素子ＯＬＥＤに、電流Ｉ（ｍ＋１）１２の半分にほぼ等しい大きさの駆動電流Ｉdrv（ｍ＋１）２を出力する。したがって、表示素子ＯＬＥＤは、表示期間のうち、時間Ｔ１−Ｔ２に亘って発光せず、時間Ｔ２に亘って駆動電流Ｉdrv（ｍ＋１）２に対応した輝度で発光する。
【０１５０】
表示期間において表示素子ＯＬＥＤに流れる駆動電流の平均Ｉdrv（ｍ＋１）は、１／Ｎ×Ｉdrv（ｍ＋１）２である。駆動電流Ｉdrv（ｍ＋１）２は映像信号Ｉ（ｍ＋１）１２の１／２と大きさがほぼ等しい。また、映像信号Ｉ（ｍ＋１）１２の大きさは輝度データ“００００ｅｆｇｈ”の１０進法で表現した値の２×Ｌ×Ｍ倍である。したがって、ＭとＮとが等しい場合には、駆動電流の平均Ｉdrv（ｍ＋１）は、輝度データ“００００ｅｆｇｈ”を１０進法で表現した値のＬ倍と大きさがほぼ等しい。
【０１５１】
なお、或る画素ＰＸで輝度データ“００００００００”に対応した階調を表示する場合、書込期間において、第３及び第４書込動作を順次実施してもよい。こうすると、表示期間において、表示素子ＯＬＥＤに駆動電流が流れるのを防止できる。
【０１５２】
このように、図１０の駆動方法は、第１及び第２態様と同様、第２駆動制御素子ＤＲ２が第２駆動電流を出力可能な時間Ｔ２を第１駆動制御素子ＤＲ１が第１駆動電流を出力可能な時間Ｔ１と比較してより短くする。したがって、本態様でも、全階調を高い再現性で表示することができ、映像信号線ドライバＸＤＲの負荷が大きくなることがなく、表示素子ＯＬＥＤの劣化を生じ難い。
【０１５３】
また、本態様では、第２駆動電流制御回路ＤＣＣ２に第２映像信号を書き込む際、映像信号線ドライバＸＤＲの出力を、第１駆動電流制御回路ＤＣＣ１と第２駆動電流制御回路ＤＣＣ２とに振り分ける。そのため、本態様では、第１及び第２態様と比較して、第２駆動電流制御回路ＤＣＣ２に第２映像信号を書き込む際の映像信号線ドライバＸＤＲの出力をより大きくすることができる。
【０１５４】
さらに、本態様では、第１及び第２態様と比較して、画素ＰＸが含むスイッチの数が少ない。すなわち、本態様によると、表示装置の構造を簡略化することができる。
【図面の簡単な説明】
【０１５５】
【図１】本発明の第１態様に係る表示装置を概略的に示す平面図。
【図２】図１に示す表示装置の画素を示す等価回路図。
【図３】図１に示す表示装置の駆動方法の一例を概略的に示すタイミングチャート。
【図４】本発明の第２態様に係る表示装置を概略的に示す平面図。
【図５】図４に示す表示装置の画素を示す等価回路図。
【図６】図４に示す表示装置の駆動方法の一例を概略的に示すタイミングチャート。
【図７】図４の表示装置において映像信号線ドライバに採用可能な構造の一例を示す等価回路図。
【図８】本発明の第３態様に係る表示装置を概略的に示す平面図。
【図９】図８に示す表示装置の画素を示す等価回路図。
【図１０】図８に示す表示装置の駆動方法の一例を概略的に示すタイミングチャート。
【符号の説明】
【０１５６】
Ｃ１…キャパシタ、Ｃ２…キャパシタ、ＣＳ…電流源、ＤＣＣ１…駆動電流制御回路、ＤＣＣ２…駆動電流制御回路、ＤＬ…映像信号線、ＤＬ１…映像信号線、ＤＬ２…映像信号線、ＤＲ１…駆動制御素子、ＤＲ２…駆動制御素子、ＩＮＶａ…インバータ回路、ＩＮＶｂ…インバータ回路、ＩＮＶｃ…インバータ回路、ＮＤDCout１…駆動電流出力端子、ＮＤDCout２…駆動電流出力端子、ＮＤin…入力端子、ＮＤPS１…電源端子、ＮＤPS２…電源端子、ＮＤRP１…参照電位端子、ＮＤRP２…参照電位端子、ＮＤVSin１…映像信号入力端子、ＮＤVSin２…映像信号入力端子、ＯＬＥＤ…表示素子、ＰＳＬ１…電源線、ＰＳＬ２…電源線、ＰＸ…画素、ＳＬ１…走査信号線、ＳＬ２…走査信号線、ＳＬ３…走査信号線、ＳＬ４…走査信号線、ＳＵＢ…絶縁基板、
ＳＷａ…出力制御スイッチ、ＳＷａ１…出力制御スイッチ、ＳＷａ２…出力制御スイッチ、ＳＷｂ…映像信号供給制御スイッチ、ＳＷｂ１…映像信号供給制御スイッチ、ＳＷｂ２…映像信号供給制御スイッチ、ＳＷｃ１…ダイオード接続スイッチ、ＳＷｃ２…ダイオード接続スイッチ、ＳＷｃｓ…スイッチ、ＳＷｖｓ…スイッチ、ＶＳ…電圧源、ＸＤＲ…映像信号線ドライバ、ＹＤＲ…走査信号線ドライバ。
【図１】
2006309155.tif 000003
【図２】
2006309155.tif 000004
【図３】
2006309155.tif 000005
【図４】
2006309155.tif 000006
【図５】
2006309155.tif 000007
【図６】
2006309155.tif 000008
【図７】
2006309155.tif 000009
【図８】
2006309155.tif 000010
【図９】
2006309155.tif 000011
【図１０】
2006309155.tif 000012